(57)【要約】【課題】噴孔からの燃料噴射時においても燃料中に気泡を保持し、噴射後にその気泡を崩壊させることによって燃料の微粒化を図ることを課題とする。【解決手段】燃料噴射弁は、噴孔が設けられたノズルボディと、前記ノズルボディ内に摺動自在に配置され、前記ノズルボディとの間に燃料導入路を形成するとともに、前記ノズルボディ内のシート部に着座するニードルと、前記燃料導入路から導入される燃料中に気柱を形成する気柱生成手段と、前記気柱生成手段により生成された気柱を破壊する気柱破壊手段と、を備えている。気柱破壊手段により、生成された気柱の界面を積極的に破壊する。これにより、気柱の表面が剥離される作用を受け、微細気泡の発生が活発化し、微細気泡の発生量が増加する。【選択図】図２
2012132366.tif 000002
【特許請求の範囲】
【請求項１】
噴孔が設けられたノズルボディと、
前記ノズルボディ内に摺動自在に配置され、前記ノズルボディ内のシート部に着座するニードルと、
前記シート部の下流に導入された燃料内に気柱を形成する気柱生成手段と、
前記気柱生成手段により生成された気柱の界面を破壊する気柱破壊手段と、
を備えたことを特徴とする燃料噴射弁。
【請求項２】
前記気柱破壊手段は、前記気柱が形成される領域に設けられ、前記ニードルの軸線を含む断面とする場合に、断面とする位置によって断面形状が異なる破壊部であることを特徴とする請求項１記載の燃料噴射弁。
【請求項３】
前記破壊部は、翼部を備えたことを特徴とする請求項２記載の燃料噴射弁。
【請求項４】
前記破壊部は、凹凸部を備えたことを特徴とする請求項２記載の燃料噴射弁。
【請求項５】
前記破壊部は、前記ノズルボディ側の内壁面に前記ニードルと対向させて設けられたことを特徴とする請求項２乃至４のいずれか一項記載の燃料噴射弁。
【請求項６】
前記気柱生成手段は、前記シート部よりも上流側に設けられ、前記燃料導入路から導入される燃料に、前記ニードルの摺動方向に対して旋回する流れを付与する旋回流生成部であることを特徴とした請求項１乃至５のいずれか一項記載の燃料噴射弁。
【請求項７】
前記旋回流生成部は、螺旋溝を備えたことを特徴とした請求項６記載の燃料噴射弁。
【請求項８】
前記シート部よりも下流側に設けられ、前記旋回流生成部において生成された旋回流の旋回速度を増大させつつ前記噴孔へ燃料を供給する旋回増速部をさらに備えたことを特徴とする請求項１乃至７のいずれか一項記載の燃料噴射弁。
【発明の詳細な説明】
【技術分野】
【０００１】
本発明は燃料噴射弁に関する。
【背景技術】
【０００２】
近年、内燃機関に関し、ＣＯ２低減及びエミッション低減のため、過給リーン、大量ＥＧＲ及び予混合自着火燃焼の研究が盛んに行われている。これらの研究によると、ＣＯ２低減及びエミッション低減の効果を最大限に引き出すには、より燃焼限界近傍において安定した燃焼状態を得る必要がある。また、石油燃料の枯渇化が進む中、バイオ燃料など多種の燃料でも安定して燃焼できるロバスト性が要求される。このような安定した燃焼を得るのに最も重要な点は混合気の着火ばらつきを低減することや膨張行程で燃料を燃やしきる速やかな燃焼が必要とされる。
【０００３】
また、内燃機関の燃料供給において、過度応答性の向上、気化潜熱による体積効率向上や低温での触媒活性化用の大幅な遅角燃焼のために燃焼室内へ燃料を直接噴射する筒内噴射方式が採用されている。ところが、筒内噴射方式を採用することにより、噴霧燃料が液滴のまま燃焼室壁に衝突して起こるオイル希釈や、液状燃料で噴射弁の噴孔周りに生成されるデポジットによる噴霧悪化により燃焼変動が助長されていた。
【０００４】
このような筒内噴射方式の採用により生じるオイル希釈や噴霧悪化の対策をするとともに、着火ばらつきを低減し安定した燃焼を実現するには、燃焼室内の燃料が速やかに気化するように、噴霧を微粒化することが重要となる。
【０００５】
燃料噴射弁から噴射される噴霧の微粒化には薄膜化した液膜のせん断力によるもの、流れの剥離で発生するキャビテーションによるもの、超音波の機械的振動で表面に付着した燃料を微粒化するものなどが知られている。
【０００６】
特許文献１には、ノズル本体の中空穴の壁面と針弁の摺動面との間に形成された螺旋状通路を通った燃料を環状チャンバである燃料溜まりにおいて回転流とする燃料噴射ノズルが提案されている。この燃料噴射ノズルは、燃料溜まり内で回転する燃料を燃料溜まりの下流に設けられ、末広のテーパ面を有する単噴孔から燃料を噴射する。噴射された燃料は分散され、空気との混合が促進される。
【０００７】
特許文献２には、気泡発生流路と気泡保持流路との圧力差を利用して発生させた気泡を混合した燃料を噴射し、噴射後の燃料において気泡が崩壊するエネルギーにより燃料を微粒化する燃料噴射弁が記載されている。
【０００８】
このように、燃料噴射ノズル、燃料噴射弁に対し、種々の提案がされている。
【先行技術文献】
【特許文献】
【０００９】
【特許文献１】特開平１０−１４１１８３号公報
【特許文献２】特開２００６−１７７１７４号公報
【発明の概要】
【発明が解決しようとする課題】
【００１０】
しかしながら、前記特許文献１に開示された燃料噴射ノズルは、旋回する燃料を加速させて燃料の噴霧を拡散することができるが、燃料中に気泡を発生させることによる燃料の微粒化は考慮されていない。また、特許文献２に開示された燃料噴射弁は、シート部が気泡保持流路よりも下流側に配置された構成となっている。このため、噴射初期は一旦気泡保持流路に保持された燃料が噴射されることになる。閉弁状態時に気泡保持流路に保持される燃料の気泡混合率は低く、噴射初期の微粒化は困難であり、燃料は液状のままシリンダ壁に衝突することが懸念される。液状の燃料がシリンダ壁に衝突することは、オイル希釈の原因となる。
【００１１】
そこで本発明は、噴孔からの燃料噴射時においても燃料中に気泡を保持し、噴射後にその気泡を崩壊させることによって燃料の微粒化を図ることを課題とする。
【課題を解決するための手段】
【００１２】
上記課題を解決するために本明細書開示の燃料噴射弁は、噴孔が設けられたノズルボディと、前記ノズルボディ内に摺動自在に配置され、前記ノズルボディ内のシート部に着座するニードルと、前記シート部の下流に導入された燃料内に気柱を形成する気柱生成手段と、前記気柱生成手段により生成された気柱の界面を破壊する気柱破壊手段と、を備えたことを特徴とする。
【００１３】
シート部の下流に導入された燃料内に気柱が生成されると、気柱の界面において、微細気泡が生成される。この微細気泡を含む燃料が噴孔から噴射され、圧壊すると燃料の微粒化が図られる。生成された気柱の界面を積極的に破壊することにより、気柱の表面が剥離される作用を受け、微細気泡の発生が活発化し、微細気泡の発生量が増加する。微細気泡の発生量は、気柱の界面の面積が大きくなれば、それだけ増加する。気柱の界面の面積を大きくするためには、気柱の長さを大きくすればよい。しかしながら、気柱の長さを大きくしようとすると、燃料噴射弁の体格が大きくなってしまうおそれがある。気柱破壊手段を備えることにより、燃料噴射弁の大型化を回避しつつ、微細気泡の発生量を確保することができる。
【００１４】
前記気柱破壊手段は、前記気柱が形成される領域に設けられ、前記ニードルの軸線を含む断面とする場合に、断面とする位置によって断面形状が異なる破壊部とすることができる。気柱が形成される領域に不規則な外形形状を備えた部分を設けることにより、気柱の界面の剥離を助長し、微細気泡を効率よく生成することができる。微細気泡の数が増せば、噴射された燃料の微細化、均質化が促進される。
【００１５】
前記破壊部は、翼部を備えることができる。また、前記破壊部は、凹凸部を備えることができる。気柱が翼部や凹凸部に衝突することにより気柱の界面における微細気泡の発生が活性化する。
【００１６】
前記破壊部は、前記ノズルボディ側の内壁面に前記ニードルと対向させて設けられることが望ましい。燃料はニードルの軸方向に沿ってノズルボディの基端側から先端側に向かって流れる。気柱は、ニードルの先端部とノズルボディの先端部との間に形成される。このため、ノズルボディの側の内周面にニードルと対向させて破壊部を設けておくことにより、気柱が破壊部に衝突し易くなり、効率よく微細気泡を発生させることができる。
【００１７】
前記気柱生成手段は、前記シート部よりも上流側に設けられ、前記燃料導入路から導入される燃料に、前記ニードルの摺動方向に対して旋回する流れを付与する旋回流生成部とすることができる。前記旋回流生成部は、螺旋溝を備えることができる。
【００１８】
燃料による旋回流を発生させることにより、その旋回流の中心部に気柱を発生させることができる。螺旋溝に燃料を通過させることにより、旋回流を発生させることができる。
【００１９】
前記シート部よりも下流側に設けられ、前記旋回流生成部において生成された旋回流の旋回速度を増大させつつ前記噴孔へ燃料を供給する旋回増速部をさらに備えることができる。
【００２０】
旋回増速部を備え、旋回速度を向上させることにより、より気柱を生成し易い環境とすることができる。これにより、微細気泡を効率よく生成することができる。
【発明の効果】
【００２１】
本明細書に開示された燃料噴射弁によれば、噴孔からの燃料噴射初期の時点から気泡を含んだ燃料を噴射し、噴射後にその気泡を崩壊させることによって燃料の微粒化を図ることができる。
【図面の簡単な説明】
【００２２】
【図１】図１は、実施例の燃料噴射弁を搭載したエンジンシステムの一構成例を示す説明図である。
【図２】図２は、実施例１の燃料噴射弁の要部を断面として示す説明図である。
【図３】図３は、実施例１の燃料噴射弁の先端部を断面とし拡大して示す説明図である。
【図４】図４は、実施例１の燃料噴射弁が備える破壊部（ガス供給塔）の斜視図である。
【図５】図５は、実施例１の燃料噴射弁が備える破壊部（ガス供給塔）の平面図である。
【図６】図６は、図５におけるＡ１−Ａ１線断面図である。
【図７】図７は、図５におけるＡ２−Ａ２線断面図である。
【図８】図８は、実施例２の燃料噴射弁の先端部を断面とし拡大して示す説明図である。
【図９】図９は、実施例２の燃料噴射弁が備える破壊部の斜視図である。
【図１０】図１０は、実施例２の燃料噴射弁が備える破壊部の平面図である。
【図１１】図１１は、図１０におけるＢ１−Ｂ１線断面図である。
【図１２】図１２は、図１０におけるＢ２−Ｂ２線断面図である。
【図１３】図１３は、実施例３の燃料噴射弁の先端部を断面として拡大して示す説明図である。
【図１４】図１４は、実施例３の燃料噴射弁が備える破壊部の平面図である。
【図１５】図１５は、図１４におけるＣ１−Ｃ１線断面図である。
【図１６】図１６は、図１４におけるＣ２−Ｃ２線断面図である。
【発明を実施するための形態】
【００２３】
以下、本発明を実施するための形態を図面と共に詳細に説明する。ただし、図面中、各部の寸法、比率等は、実際のものと完全に一致するようには図示されていない場合がある。また、図面によっては細部が省略されている場合もある。
【実施例１】
【００２４】
本発明の実施例１について図面を参照しつつ説明する。図１は、本発明の燃料噴射弁３０を搭載したエンジンシステム１の一構成例を示した図である。なお、図１にはエンジン１０００の一部の構成のみが示されている。
【００２５】
図１に示すエンジンシステム１は、動力源であるエンジン１０００を備えており、エンジン１０００の運転動作を総括的に制御するエンジンＥＣＵ（Ｅｌｅｃｔｒｏｎｉｃ  Ｃｏｎｔｒｏｌ  Ｕｎｉｔ）１０を備えている。エンジンシステム１は、エンジン１０００の燃焼室１１内へ燃料を噴射する燃料噴射弁３０を備えている。エンジンＥＣＵ１０は、制御部の機能を備える。エンジンＥＣＵ１０は、演算処理を行うＣＰＵ（Ｃｅｎｔｒａｌ  Ｐｒｏｃｅｓｓｉｎｇ  Ｕｎｉｔ）と、プログラム等を記憶するＲＯＭ（Ｒｅａｄ  Ｏｎｌｙ  Ｍｅｍｏｒｙ）と、データ等を記憶するＲＡＭ（Ｒａｎｄｏｍ  Ａｃｃｅｓｓ  Ｍｅｍｏｒｙ）やＮＶＲＡＭ（Ｎｏｎ  Ｖｏｌａｔｉｌｅ  ＲＡＭ）と、を備えるコンピュータである。
【００２６】
エンジン１０００は、車両に搭載されるエンジンであって、燃焼室１１を構成するピストン１２を備えている。ピストン１２は、エンジン１０００のシリンダに摺動自在に嵌合されている。そして、ピストン１２は、コネクティングロッドを介して出力軸部材であるクランクシャフトに連結されている。
【００２７】
吸気ポート１３から燃焼室１１内へ流入した吸入空気は、ピストン１２の上昇運動により燃焼室１１内で圧縮される。エンジンＥＣＵ１０は、クランク角センサからのピストン１２の位置、および吸気カム角センサからのカム軸回転位相の情報に基づき、燃料噴射タイミングを決定し燃料噴射弁３０に信号を送る。燃料噴射弁３０は、エンジンＥＣＵ１０の信号に従って、指示された噴射タイミングで燃料を噴射する。燃料噴射弁３０より噴射された燃料は、霧化して圧縮された吸入空気と混合される。そして、吸入空気と混合された燃料は、点火プラグ１８によって点火されることで燃焼し、燃焼室１１内を膨張させてピストン１２を下降させる。この下降運動がコネクティングロッドを介してクランクシャフトの軸回転に変更されることにより、エンジン１０００は動力を得る。
【００２８】
燃焼室１１には、それぞれ燃焼室１１と連通する吸気ポート１３と、吸気ポート１３に連結し、吸入空気を吸気ポート１３から燃焼室１１へと導く吸気通路１４とが接続されている。更に、各気筒の燃焼室１１には、それぞれ燃焼室１１と連通する排気ポート１５と、燃焼室で発生した排気ガスをエンジン１０００の外部へと導く排気通路１６が接続されている。吸気通路１４には、サージタンク２２が配置されている。
【００２９】
吸気通路１４には、エアフロメータ、スロットルバルブ１７およびスロットルポジションセンサが設置されている。エアフロメータおよびスロットルポジションセンサは、それぞれ吸気通路１４を通過する吸入空気量、スロットルバルブ１７の開度を検出し、検出結果をエンジンＥＣＵ１０に送信する。エンジンＥＣＵ１０は、送信された検出結果に基づいて吸気ポート１３および燃焼室１１へ導入される吸入空気量を認識し、スロットルバルブ１７の開度を調整することで吸入空気量を調節する。
【００３０】
排気通路１６には、ターボチャージャ１９が設置されている。ターボチャージャ１９は、排気通路１６を流通する排気ガスの運動エネルギーを利用してタービンを回転させ、エアクリーナーを通過した吸入空気を圧縮してインタークーラーへと送り込む。圧縮された吸入空気は、インタークーラーで冷却された後に一旦サージタンク２２に貯留され、その後、吸気通路１４へと導入される。この場合、エンジン１０００は、ターボチャージャ１９を備える過給機付エンジンに限られず、自然吸気（Ｎａｔｕｒａｌ  Ａｓｐｉｒａｔｉｏｎ）エンジンであってもよい。
【００３１】
ピストン１２は、その頂面にキャビティを有する。キャビティは、燃料噴射弁３０の方向から点火プラグ１８の方向へと連続するなだらかな曲面によってその壁面が形成されており、燃料噴射弁３０から噴射された燃料を壁面形状に沿って点火プラグ１８近傍へと導く。この場合、ピストン１２は、その頂面の中央部分に円環状にキャビティが形成されるリエントラント型燃焼室等、エンジン１０００の仕様に応じて任意の位置・形状でキャビティを形成することができる。
【００３２】
燃料噴射弁３０は、吸気ポート１３下部の燃焼室１１に装着されている。燃料噴射弁３０は、エンジンＥＣＵ１０の指示に基づいて、燃料ポンプから燃料流路を通じて高圧供給された燃料をノズルボディ３１先端部に設けられた噴孔３３より燃焼室１１内へ直接噴射する。噴射された燃料は、燃焼室１１内で霧化し吸入空気と混合されつつキャビティの形状に沿って点火プラグ１８近傍へと導かれる。燃料噴射弁３０のリーク燃料は、リリーフ弁からリリーフ配管を通じて燃料タンクへと戻される。
【００３３】
この燃料噴射弁３０は、吸気ポート１３下部に限られず燃焼室１１の任意の位置に設置することができる。例えば、燃焼室１１の中央上側から噴射するように配置することもできる。
【００３４】
なお、エンジン１０００は、ガソリンを燃料とするガソリンエンジン、軽油を燃料とするディーゼルエンジン、ガソリンとアルコールとを任意の割合で混合した燃料を使用するフレキシブルフューエルエンジンのいずれでもよい。また、その他、燃料噴射弁によって噴射可能などのような燃料を用いるエンジンであってもよい。エンジンシステム１は、エンジン１０００と複数の電動モータとを組み合わせたハイブリッドシステムであってもよい。
【００３５】
次に、本発明の一実施例である燃料噴射弁３０の内部構成について詳細に説明する。図２は、実施例１の燃料噴射弁３０の要部を断面として示す説明図である。図３は、実施例１の燃料噴射弁３０の先端部を断面とし拡大して示す説明図である。図４は、実施例１の燃料噴射弁３０が備える破壊部に相当するガス供給塔３９の斜視図である。図５は、ガス供給塔３９の平面図である。図６は、図５におけるＡ１−Ａ１線断面図である。図７は、図５におけるＡ２−Ａ２線断面図である。
【００３６】
燃料噴射弁３０は、ノズルボディ３１、ニードル３２、駆動機構４５を備えている。ノズルボディ３１は、本体部３１ａとノズルプレート３１ｂを含んでいる。駆動機構４５はニードル３２の摺動動作を制御する。駆動機構４５は、圧電素子、電磁石などを用いたアクチュエータやニードル３２へ適切な圧力を付与する弾性部材など、ニードル３２が動作するのに適する部品を備えた従来から知られる機構である。以下の説明において、先端側とは図面中の下側を示し、基端側とは図面中の上側を示すこととする。
【００３７】
ノズルボディ３１は、本体部３１ａとその先端部に装着されるノズルプレート３１ｂとに分割することができる。ノズルボディ３１の先端部、具体的には、ノズルプレート３１ｂには噴孔３３が設けられている。ノズルボディ３１の内部には、ニードル３２が着座するシート部３４が形成されている。ニードル３２は、ノズルボディ３１内に摺動自在に配置されることによって、ノズルボディ３１との間に燃料導入路３５を形成する。そして、ノズルボディ３１内のシート部３４に着座することによって燃料噴射弁３０を閉弁状態とする。ニードル３２は、駆動機構４５により上方に引き上げられ、シート部３４から離座することによって開弁状態となる。シート部３４は、噴孔３３から奥まった位置に設けられている。
【００３８】
燃料噴射弁３０は、シート部３４よりも上流側に設けられ、燃料導入路３５から導入される燃料にニードル３２の摺動軸ＡＸに沿う方向（摺動方向）に対して旋回する流れを付与する旋回流生成部３２ａを備えている。旋回流生成部３２ａは、気柱生成手段の一例である。すなわち、旋回流生成部３２ａは、シート部３４の下流に導入された燃料内に気柱を形成する。摺動軸ＡＸは、ニードル３２の軸線と一致している。旋回流生成部３２ａは、ニードル３２の先端部に設けられている。旋回流生成部３２ａは、ニードル３２の基端側と比較して径が拡大されている。旋回流生成部３２ａの先端部分がシート部３４に着座する。このように、旋回流生成部３２ａは、開弁時及び閉弁時にシート部３４よりも上流側に位置する。
【００３９】
旋回流生成部３２ａは、螺旋溝３２ｂを備えている。燃料導入路３５から導入される燃料がこの螺旋溝３２ｂを通過することによって、燃料の流れに旋回成分が付与され、燃料の旋回流が生成される。燃料の旋回流が生成されることにより燃料中に負圧部が生じ、気柱ＡＰが生成されるようになる。
【００４０】
燃料噴射弁３０は、シート部３４よりも下流側に設けられ、旋回流生成部３２ａにおいて生成された旋回流の旋回速度を増大させる旋回増速部３６を備えている。旋回増速部３６は、旋回流の旋回速度を増大させつつ噴孔３３へ燃料を供給する。旋回増速部３６は、シート部３４よりも下流部に位置する最小絞り部に向かって内周径が縮径して形成されている。ここで、最小絞り部は、シート部３４よりも下流部において、最も内周径が小さい位置に相当する。
【００４１】
旋回増速部３６は、シート部３４と噴孔３３との間に形成され、旋回流生成部３２ａを通過して旋回状態となった燃料の旋回速度を加速させる。旋回速度生成部３２ａで生成された旋回流の回転半径を徐々に狭める。旋回流は、縮径された狭い領域に流入することで、旋回速度が増す。旋回速度が増した旋回流は、安定した気柱ＡＰを形成する。気柱ＡＰは、旋回増速部３６内で旋回流が加速し、その強い旋回流の旋回中心部に負圧が発生することによって形成される。負圧が発生するとノズルボディ３１の外部の空気が後述するガス供給路３９ａを通じて積極的にノズルボディ３１内に吸引される。これによりノズルボディ３１内に安定して気柱ＡＰが発生する。こうして発生した気柱ＡＰと燃料との界面において気泡が生成する。生成した気泡は一旦後述する気泡溜まり部３７内に貯留される。そして、その後、噴孔３３から噴射される。
【００４２】
燃料噴射弁３０は、旋回増速部３６よりも下流側に設けられ、旋回増速部３６を通過することによって発生する気泡を貯留する気泡溜まり部３７を備えている。旋回増速部３６から気泡溜まり部３７を含む領域が、気泡生成部３８を形成する。気泡溜まり部３７内において燃料は旋回を継続する。旋回増速部３６で生成され、燃料に含まれる気泡は、一旦、気泡溜まり部３７内に貯留される。そして、気泡は、気泡溜まり部３７内で旋回することにより、その大きさに応じて分離される。すなわち、径の大きい気泡が気泡溜まり部３７の中心部に集まり、径の小さい気泡は気泡溜まり部３７の外側に追いやられる。径の小さい気泡が集まる部位に噴孔３３を開口させることにより、径の小さい微細気泡を噴射し、微細な噴霧とすることができる。
【００４３】
燃料噴射弁３０は、旋回流生成部３２ａにより生成された気柱ＡＰの界面を破壊する気柱破壊手段としての破壊部３９を備えている。破壊部３９は、図４乃至図７に示すように筒状のガス供給塔である。破壊部３９は、気柱ＡＰが形成される領域に設けられている。破壊部３９は、ニードル３２の軸線（摺動軸）ＡＸを含む断面とする場合に、断面とする位置によって断面形状が異なる。具体的には、破壊部３９は、フィン状の翼部４０を備えている。図５は、破壊部３９の平面図である。図６は、図５におけるＡ１−Ａ１線断面図である。図７は、図５におけるＡ２−Ａ２線断面図である。これらの断面は、いずれも軸線（摺動軸）ＡＸを含んでいる。このように、翼部４０を含む断面と、翼部４０を含まない断面とでは、断面形状が異なる。気柱ＡＰが形成される領域に不規則な外形形状を備えた部分を設けることにより、気柱ＡＰの界面の剥離を助長し、微細気泡を効率よく生成することができる。微細気泡の数が増せば、噴射された燃料の微細化、均質化が促進される。
【００４４】
このような破壊部３９は、ノズルボディ３１側の内壁面、具体的にはノズルプレート３１ｂにニードル３２と対向させて設けられている。これにより、気柱ＡＰが破壊部に衝突し易くなり、効率よく微細気泡を発生させることができる。
【００４５】
筒状である破壊部３９の内側は、ガス供給路３９ａを形成している。ガス供給路３９ａは、旋回増速部３６に向かって、燃焼室１１内の既燃ガスを導入する。
【００４６】
本実施例の燃料噴射弁３０は、燃料の旋回流の遠心力によって噴霧角を広角とすることができる。これにより、空気との混合を促進することができる。また、噴霧に気泡、すなわち、圧縮性ガスを含むため、音が伝搬する臨界速度（音速）が小さくなる。燃料の流速は、音速を越えることができないという物理的性質のため、音速が遅くなると、燃料の流速が遅くなる。燃料の流速が遅くなると、ペネトレーションが小さくなってボア壁におけるオイル希釈が抑制されるという効果がある。また、気泡を含むことによって燃料の流速が遅くなると、同じ燃料噴射を確保するために噴孔径を大きく設定することになる。噴孔には、デポジットが堆積する。そして、このデポジット堆積に起因して噴射量が変化する。しかしながら、噴孔径が大きく設定され、噴射量が多くなると、デポジット堆積に起因する噴射量の変化（噴射変化量）に対する感度が低下する。すなわち、噴射量に対する噴射変化量の割合が低下することになるため、デポジット堆積に起因する噴射量の変化の影響が小さくなる。
【００４７】
また、燃料噴射弁３０は、旋回増速部３６により旋回半径を徐々に縮径するため、安定して気柱ＡＰが発生する。安定して気柱ＡＰが発生すると気柱ＡＰの界面で発生する微細気泡の気泡径のバラツキが抑制される。また、微細気泡を含む燃料噴射の揺らぎが抑制される。この結果、噴射された微細気泡が圧壊（破裂）して形成される燃料粒の粒度分布が縮小し、均質な噴霧を得ることができる。また、気柱ＡＰが安定して形成されることにより、エンジン１０００のサイクル間で燃料の粒度の変動が少ない噴霧を得ることができる。これらは、ＰＭ低減、ＨＣ低減、熱効率向上に資する。さらに、エンジン１０００の燃焼変動の少ない安定した運転が可能となることから、燃費向上、有害排気ガス低減、ＥＧＲ（Exhaust  Gas  Recirculation）の増加、Ａ／Ｆ（空燃比）のリーン化が可能となる。
【００４８】
以上のように構成された燃料噴射弁３０は、以下の利点を備える。すなわち、破壊部３９を備えることにより、積極的に気柱ＡＰの界面の剥離を誘発し、微細気泡を発生させることができる。この結果、気柱ＡＰの長さを短く設定する余地が生じる。このため、気泡生成部３８の寸法、容積を小さく設定することができる。この結果、燃料噴射弁３０の体格を小さくすることができる。気泡生成部３８の容積を小さくすることにより、閉弁時の粗大液滴（噴霧後ダレ）発生を抑制することができる。また、燃料噴射弁３０の体格を小さくすることにより燃料噴射弁３０の取り付けの自由度が増す。この結果、種々のエンジンへの搭載が容易となる。
【００４９】
なお、翼部４０は、破壊部３９を補強することができる。このため、筒状の破壊部（ガス供給塔）３９の径を細くすることができる。破壊部３９を細くすることにより、旋回流の妨げとなることを抑制することができる。
【実施例２】
【００５０】
つぎに、実施例２について図８乃至１２を参照しつつ説明する。図８は、実施例２の燃料噴射弁５０の先端部を断面とし拡大して示す説明図である。図９は、燃料噴射弁５０が備える破壊部５９の斜視図である。図１０は、燃料噴射弁５０が備える破壊部５９の平面図である。図１１は、図１０におけるＢ１−Ｂ１線断面図である。図１２は、図１０におけるＢ２−Ｂ２線断面図である。
【００５１】
燃料噴射弁５０の基本的な構成は、実施例１の燃料噴射弁３０と共通する。すなわち、燃料噴射弁５０は、ノズルボディ５１、ニードル５２、噴射孔５３及びシート部５４を備える。また、燃料噴射弁５０には、燃料導入路５５が形成されている。さらに、燃料噴射弁５０は、旋回流生成部５２ａ、螺旋溝５２ｂを備える点においても燃料噴射弁３０と共通する。
【００５２】
燃料噴射弁３０と燃料噴射弁５０とは、以下の点で異なる。すなわち、燃料噴射弁５０が備えるノズルボディ５１は、本体部とノズルプレートが一体となっている。そして、破壊部３９に代えて破壊部５９を備えている。また、ガス供給路３９ａに代えてニードル５２内に設けられた空気導入経路５６を備えている。この空気導入経路５６は、外部からノズルボディ５１内に空気を導入する。例えば、空気導入経路５６をサージタンク２２と接続して、空気をノズルボディ５１内に導入することができる。燃料噴射弁５０は、空気導入経路５６から空気を導入し気柱ＡＰを形成する。このため、旋回増速部は省略されている。従って、実施例１では、旋回増速部５６と気泡溜まり部３７を含む気泡生成部３８を備えていたが、実施例２では、これに代えて単純な凹状形状の気泡生成部５８を備えている。
【００５３】
破壊部５９は、実施例１の場合と同様に、ノズルボディ５１側の内壁面にニードル５２と対向させて設けられている。破壊部５９は、支柱６０の設けられた翼部６１を備えている。図１０は、破壊部５９の平面図である。図１１は、図１０におけるＢ１−Ｂ１線断面図である。図１２は、図１０におけるＢ２−Ｂ２線断面図である。これらの断面は、いずれも軸線（摺動軸）ＡＸを含んでいる。このように、翼部６０を含む断面と、翼部６０を含まない断面とでは、断面形状が異なる。気柱ＡＰが形成される領域に不規則な外形形状を備えた部分を設けることにより、気柱ＡＰの界面の剥離を助長し、微細気泡を効率よく生成することができる。微細気泡の数が増せば、噴射された燃料の微細化、均質化が促進される。
【実施例３】
【００５４】
つぎに、実施例３について図１３乃至１６を参照しつつ説明する。図１３は、実施例３の燃料噴射弁７０の先端部を断面として拡大して示す説明図である。図１４は、燃料噴射弁７０が備える破壊部の平面図である。図１５は、図１４におけるＣ１−Ｃ１線断面図である。図１６は、図１４におけるＣ２−Ｃ２線断面図である。
【００５５】
燃料噴射弁７０の基本的な構成は、実施例２の燃料噴射弁５０と共通する。すなわち、燃料噴射弁７０は、ノズルボディ７１、ニードル７２、噴射孔７３及びシート部７４を備える。また、燃料噴射弁７０には、燃料導入路７５が形成されている。さらに、燃料噴射弁７０は、旋回流生成部７２ａ、螺旋溝７２ｂを備える点においても燃料噴射弁５０と共通する。空気導入経路７６、気泡生成部７８を備える点も両者は共通する。
【００５６】
燃料噴射弁５０と燃料噴射弁７０とは、以下の点で異なる。すなわち、燃料噴射弁７０は、破壊部５９に代えて破壊部７９を備えている。
【００５７】
破壊部７９は、実施例２の場合と同様に、ノズルボディ７１側の内壁面にニードル７２と対向させて設けられている。破壊部７９は、凹部８０と凸部８１を備えている。図１４は、破壊部７９の平面図である。図１５は、図１４におけるＣ１−Ｃ１線断面図である。図１６は、図１４におけるＣ２−Ｃ２線断面図である。これらの断面は、いずれも軸線（摺動軸）ＡＸを含んでいる。このように、凸部８１を縦断する断面と、凸部８１を横断する断面とでは、断面形状が異なる。気柱ＡＰが形成される領域に不規則な外形形状を備えた部分を設けることにより、気柱ＡＰの界面の剥離を助長し、微細気泡を効率よく生成することができる。微細気泡の数が増せば、噴射された燃料の微細化、均質化が促進される。
【００５８】
凹部８０、凸部８１は、生産性、耐久性が高い形状であり、コスト面でも有利である。
【００５９】
上記実施例は本発明を実施するための一例にすぎない。よって本発明はこれらに限定されるものではなく、請求の範囲に記載された本発明の要旨の範囲内において、種々の変形、変更が可能である。
【符号の説明】
【００６０】
１  エンジンシステム
３０、５０、７０  燃料噴射弁
３１、５１、７１  ノズルボディ
３１ａ  本体部
３１ｂ  ノズルプレート
３２、５２、７２  ニードル
３２ａ、５２ａ、７２ａ  拡径部
３２ｂ、５２ｂ、７２ｂ  螺旋溝
３３、５３、７３  噴孔
３４、５４、７４  シート部
３５、５５、７５  燃料導入経路
３６  絞り部（最小絞り部）
５６  空気導入経路
３７  気泡溜まり部
３８、５８、７８  気泡生成部
３９、５９、７９  破壊部
３９ａ  ガス供給通路
４０、６０  翼部
ＡＰ  気柱
６１  支柱
８０  凹部
８１  凸部
【図１】
2012132366.tif 000003
【図２】
2012132366.tif 000004
【図３】
2012132366.tif 000005
【図４】
2012132366.tif 000006
【図５】
2012132366.tif 000007
【図６】
2012132366.tif 000008
【図７】
2012132366.tif 000009
【図８】
2012132366.tif 000010
【図９】
2012132366.tif 000011
【図１０】
2012132366.tif 000012
【図１１】
2012132366.tif 000013
【図１２】
2012132366.tif 000014
【図１３】
2012132366.tif 000015
【図１４】
2012132366.tif 000016
【図１５】
2012132366.tif 000017
【図１６】
2012132366.tif 000018